(57)【要約】【課題】所望の時間が経過した時点に関する情報を、直感的且つ容易な操作に基づいてディスプレイに表示させることができる、表示装置、表示方法、及び表示プログラムを提供すること。【解決手段】表示装置１は、所定時点に関する情報を表示するディスプレイ１１と、タッチパネル１２と、タッチパネル１２に接触した利用者の指の位置を検出する検出部２１と、タッチパネル１２に利用者の指が接触している間に検出部２１により検出された当該利用者の指の位置に基づき、タッチパネル１２上での利用者の指の移動方向を特定し、当該特定した移動方向に対応する遷移時間を特定し、ディスプレイ１１に表示されている情報に対応する時点から当該特定した遷移時間が経過した時点に関する情報をディスプレイ１１に表示させる表示制御部２２とを備える。【選択図】図１
2012207930.tif 000002
【特許請求の範囲】
【請求項１】
所定時点に関する情報を表示する表示手段と、
タッチパネルと、
前記タッチパネルに接触した利用者の指の位置を検出する検出手段と、
前記タッチパネルに前記利用者の指が接触している間に前記検出手段により検出された当該利用者の指の位置に基づき、当該タッチパネル上での当該利用者の指の移動方向を特定し、当該特定した移動方向に対応する遷移時間を特定し、前記表示手段に表示されている情報に対応する時点から当該特定した遷移時間が経過した時点に関する情報を当該表示手段に表示させる表示制御手段と、
を備える表示装置。
【請求項２】
前記表示手段は、所定時点での車両位置を示す車両記号を含む地図を表示し、
前記表示制御手段は、前記車両記号の表示位置に対応する位置を起点として前記利用者の指が前記タッチパネル上を移動した場合、当該車両記号が示す前記車両位置に対応する時点から前記特定した遷移時間が経過した時点での、当該車両の予測位置を示す車両記号を含む地図を前記表示手段に表示させる、
を備える請求項１に記載の表示装置。
【請求項３】
前記表示手段は、施設の位置及び属性を示す施設記号を含む地図を表示し、
前記表示制御手段は、前記施設記号の表示位置に対応する位置を起点として前記利用者の指が前記タッチパネル上を移動した場合、当該施設記号が示す前記施設の位置に対応する時点から前記特定した遷移時間が経過した時点に対応する位置の近傍に存在する施設であって、前記起点に表示されていた前記施設記号が示す属性と同一属性の施設に対応する前記施設記号を含む地図を前記表示手段に表示させる、
請求項１又は２に記載の表示装置。
【請求項４】
所定時点に関する情報を表示手段に表示させる表示ステップと、
タッチパネルに接触した利用者の指の位置を検出する検出ステップと、
前記タッチパネルに前記利用者の指が接触している間に前記検出ステップで検出された当該利用者の指の位置に基づき、当該タッチパネル上での当該利用者の指の移動方向を特定し、当該特定した移動方向に対応する遷移時間を特定し、前記表示手段に表示されている情報に対応する時点から当該特定した遷移時間が経過した時点に関する情報を当該表示手段に表示させる表示制御ステップと、
を含む表示方法。
【請求項５】
請求項４に記載の方法をコンピュータに実行させる表示プログラム。
【発明の詳細な説明】
【技術分野】
【０００１】
本発明は、表示装置、表示方法、及び表示プログラムに関する。
【背景技術】
【０００２】
従来、設定した時刻における自車の位置を確認できるようにした地図表示装置が用いられている。例えば、未来の時刻が設定された場合、移動の平均速度から求めた予測走行距離だけ、予め設定された経路上を移動した地点の地図を表示部に表示させる、地図表示装置が提案されている。この地図表示装置では、ＢａｃｋボタンやＦｏｒｅボタンを介した操作に基づき、所定時間単位で設定時刻が変更され、当該設定時刻の変更に対応して、地図がスクロールされる（例えば、特許文献１参照）。
【先行技術文献】
【特許文献】
【０００３】
【特許文献１】特開２００８−１９６９２３号公報
【発明の概要】
【発明が解決しようとする課題】
【０００４】
しかしながら、上述の如き従来の装置は、ＢａｃｋボタンやＦｏｒｅボタンを介した操作により、所定時間単位単位で設定時刻を変更するものであったため、現在時刻と設定時刻との差が大きい場合にはボタン操作を繰り返さなければならず、操作が煩雑になる場合があった。
【０００５】
本発明は、上記に鑑みてなされたものであって、所望の時間が経過した時点に関する情報を、直感的且つ容易な操作に基づいてディスプレイに表示させることができる、表示装置、表示方法、及び表示プログラムを提供することを目的とする。
【課題を解決するための手段】
【０００６】
上述した課題を解決し、目的を達成するために、請求項１に記載の表示装置は、所定時点に関する情報を表示する表示手段と、タッチパネルと、前記タッチパネルに接触した利用者の指の位置を検出する検出手段と、前記タッチパネルに前記利用者の指が接触している間に前記検出手段により検出された当該利用者の指の位置に基づき、当該タッチパネル上での当該利用者の指の移動方向を特定し、当該特定した移動方向に対応する遷移時間を特定し、前記表示手段に表示されている情報に対応する時点から当該特定した遷移時間が経過した時点に関する情報を当該表示手段に表示させる表示制御手段と、を備える。
【０００７】
また、請求項２に記載の表示装置は、請求項１に記載の表示装置において、前記表示手段は、所定時点での車両位置を示す車両記号を含む地図を表示し、前記表示制御手段は、前記車両記号の表示位置に対応する位置を起点として前記利用者の指が前記タッチパネル上を移動した場合、当該車両記号が示す前記車両位置に対応する時点から前記特定した遷移時間が経過した時点での、当該車両の予測位置を示す車両記号を含む地図を前記表示手段に表示させる。
【０００８】
また、請求項３に記載の表示装置は、請求項１又は２に記載の表示装置において、前記表示手段は、施設の位置及び属性を示す施設記号を含む地図を表示し、前記表示制御手段は、前記施設記号の表示位置に対応する位置を起点として前記利用者の指が前記タッチパネル上を移動した場合、当該施設記号が示す前記施設の位置に対応する時点から前記特定した遷移時間が経過した時点に対応する位置の近傍に存在する施設であって、前記起点に表示されていた前記施設記号が示す属性と同一属性の施設に対応する前記施設記号を含む地図を前記表示手段に表示させる。
【０００９】
また、請求項４に記載の表示方法は、所定時点に関する情報を表示手段に表示させる表示ステップと、タッチパネルに接触した利用者の指の位置を検出する検出ステップと、前記タッチパネルに前記利用者の指が接触している間に前記検出ステップで検出された当該利用者の指の位置に基づき、当該タッチパネル上での当該利用者の指の移動方向を特定し、当該特定した移動方向に対応する遷移時間を特定し、前記表示手段に表示されている情報に対応する時点から当該特定した遷移時間が経過した時点に関する情報を当該表示手段に表示させる表示制御ステップと、を含む。
【００１０】
また、請求項５に記載の表示プログラムは、請求項４に記載の方法をコンピュータに実行させる。
【発明の効果】
【００１１】
請求項１に記載の表示装置、請求項４に記載の表示方法、及び請求項５に記載の表示プログラムによれば、表示制御手段は、タッチパネルに利用者の指が接触している間に検出手段により検出された当該利用者の指の位置に基づき、タッチパネル上での利用者の指の移動方向を特定し、当該特定した移動方向に対応する遷移時間を特定し、表示手段に表示されている情報に対応する時点から当該特定した遷移時間が経過した時点に関する情報を表示手段に表示させるので、表示手段に表示されている情報に対応する時点から所望の時間が経過した時点に関する情報を、直感的且つ容易な操作に基づいて表示手段に表示させることができる。
【００１２】
また、請求項２に記載の表示装置によれば、表示制御手段は、車両記号の表示位置に対応する位置を起点として利用者の指がタッチパネル上を移動した場合、車両記号が示す車両位置に対応する時点から特定した遷移時間が経過した時点での、車両の予測位置を示す車両記号を含む地図を表示手段に表示させるので、表示手段に表示されている車両記号が示す車両位置に対応する時点から所望の時間が経過した時点での車両の予測位置を示す車両記号を含む地図を、直感的且つ容易な操作に基づいて表示手段に表示させることができる。
【００１３】
また、請求項３に記載の表示装置によれば、表示制御手段は、施設記号の表示位置に対応する位置を起点として利用者の指がタッチパネル上を移動した場合、当該施設記号が示す施設の位置に対応する時点から特定した遷移時間が経過した時点に対応する位置の近傍に存在する施設であって、起点に表示されていた施設記号が示す属性と同一属性の施設に対応する施設記号を含む地図を表示手段に表示させるので、表示手段に表示されている施設記号が示す施設の位置に対応する時点から所望の時間が経過した時点に対応する位置の近傍に存在する、所望の施設を示す施設記号を含む地図を、直感的且つ容易な操作に基づいて表示手段に表示させることができる。
【図面の簡単な説明】
【００１４】
【図１】実施の形態に係る表示装置を例示するブロック図である。
【図２】表示対象テーブルに格納されている情報を例示した表である。
【図３】表示制御処理のフローチャートである。
【図４】利用者の指の移動方向と遷移時間との対応関係を例示した図である。
【図５】ディスプレイに表示される情報を例示した図であり、図５（ａ）はフリック操作が行われる前の状態を示す図、図５（ｂ）はフリック操作に応じてディスプレイに表示されている情報がスクロールされた状態を示す図である。
【図６】ディスプレイに表示される情報を例示した図であり、図６（ａ）はフリック操作が行われる前の状態を示す図、図６（ｂ）はフリック操作に応じてディスプレイに表示されている情報がスクロールされた状態を示す図である。
【図７】ディスプレイに表示される情報を例示した図であり、図７（ａ）はフリック操作が行われる前の状態を示す図、図７（ｂ）はフリック操作に応じてディスプレイに表示されている情報がスクロールされた状態を示す図である。
【発明を実施するための形態】
【００１５】
以下、本発明に係る表示装置、表示方法、及び表示プログラムの実施の形態について図面を参照しつつ詳細に説明する。ただし、この実施の形態によって本発明が限定されるものではない。なお、以下の説明では、カーナビゲーションシステムの一部として表示装置が車両に搭載されているものとする。
【００１６】
（構成）
最初に、実施の形態に係る表示装置の構成について説明する。図１は、本実施の形態に係る表示装置を例示するブロック図である。図１に示すように、表示装置１は、タッチパネルモニタ１０、制御部２０、及びデータ記録部３０を備えている。
【００１７】
（構成−タッチパネルモニタ）
タッチパネルモニタ１０は、ディスプレイ１１、及びタッチパネル１２を備えている。ディスプレイ１１は、制御部２０の制御に基づいて所定時点に関する情報を表示する表示手段である。例えばディスプレイ１１は、所定時点での車両位置を示す車両記号（以下、必要に応じて「自車アイコン」）を含む地図や、施設の位置及び属性を示す施設記号（以下、必要に応じて「施設アイコン」）を含む地図、あるいは、施設アイコンと自車アイコンとを含む地図等を表示する。なお、このディスプレイ１１の具体的な構成は任意であり、公知の液晶ディスプレイや有機ＥＬディスプレイの如きフラットパネルディスプレイを使用することができる。
【００１８】
タッチパネル１２は、利用者の指等で押圧されることにより、ディスプレイ１１に表示されている画像を移動させるための操作入力等を含む各種操作を受け付ける入力手段である。このタッチパネル１２は、透明又は半透明状に形成され、ディスプレイ１１の前面において当該ディスプレイ１１の表示面と重畳するように設けられている。このタッチパネル１２としては、例えば抵抗膜方式や静電容量方式等による操作位置検出手段を備えた公知のタッチパネルを使用することができる。
【００１９】
（構成−制御部）
制御部２０は、表示装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る表示プログラムは、任意の記録媒体又はネットワークを介して表示装置１にインストールされることで、制御部２０の各部を実質的に構成する。
【００２０】
この制御部２０は、機能概念的に、検出部２１、及び表示制御部２２を備えている。検出部２１は、タッチパネル１２に接触した利用者の指の位置を検出する検出手段である。表示制御部２２は、所定の時点に関する情報をディスプレイ１１に表示させる表示制御手段である。これらの制御部２０の各部によって実行される処理の詳細については後述する。
【００２１】
（構成−データ記録部）
データ記録部３０は、表示装置１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００２２】
このデータ記録部３０は、地図情報データベース３１（以下、データベースをＤＢと略記する）、及び表示対象テーブル３２を備えている。
【００２３】
地図情報ＤＢ３１は、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、対象地物データ（交差点、一時停止線、踏切、カーブ、ＥＴＣ料金所、高速出口等）、施設データ（各施設の位置、各施設の種別等）、地形データ、地図をディスプレイ１１に表示するための地図表示データ等を含んで構成されている。
【００２４】
表示対象テーブル３２は、ディスプレイ１１に表示させる対象となる情報を特定する表示対象情報を格納する表示対象情報格納手段である。図２は、表示対象テーブル３２に格納されている情報を例示した表である。この図２に示すように、表示対象テーブル３２には、項目「起点」及び「表示対象」に対応する情報が、相互に関連付けて格納されている。この内、項目「起点」に対応して格納される情報は、タッチパネル１２を介してフリック操作が行われた場合における当該フリック操作の起点の種別を特定する情報である（図２では、例えば「自車アイコン」等）。項目「表示対象」に対応して格納される情報は、ディスプレイ１１に表示させる対象となる情報を特定する表示対象情報である（図２では、例えば「遷移時間経過時点での車両の予測位置アイコン」等）。
【００２５】
（処理−表示制御処理）
次に、このように構成された表示装置１によって実行される表示制御処理について説明する。図３は表示制御処理のフローチャートである（以下の各処理の説明ではステップを「Ｓ」と略記する）。この表示制御処理は、例えば、表示装置１に電源が投入され、ディスプレイ１１に地図が表示された場合に起動される。
【００２６】
図３に示すように、表示制御処理が開始されると、表示制御部２２は、タッチパネル１２に利用者の指が接触している間に検出部２１により検出された利用者の指の位置（以下、必要に応じて「指位置」）に基づき、タッチパネル１２上を指ではらう操作（いわゆるフリック操作）が行われたか否かを判定する（ＳＡ１）。例えば、タッチパネル１２に利用者の指が接触し、その後当該利用者の指がタッチパネル１２から離れたことが検出部２１により検出された場合であって、当該利用者の指がタッチパネル１２から離れる直前の速度が所定値以上の場合（例えば、検出部２１により最後に指位置が検出される所定時間前に検出部２１により検出された指位置から、検出部２１により最後に検出された指位置までの距離を、当該所定時間で除算した値が所定値以上の場合）に、表示制御部２２はフリック操作が行われたと判定する。
【００２７】
その結果、フリック操作が行われていない場合（ＳＡ１、Ｎｏ）、表示制御部２２は、フリック操作が行われるまでＳＡ１の処理を繰り返す。一方、フリック操作が行われた場合（ＳＡ１、Ｙｅｓ）、表示制御部２２は、タッチパネル１２に利用者の指が接触している間に検出部２１により検出された指位置に基づき、当該フリック操作の起点の位置を特定する（ＳＡ２）。具体的には、表示制御部２２は、利用者の指がタッチパネル１２に接触したことが検出部２１によって最初に検出された位置をフリック操作の起点の位置として特定する。
【００２８】
続いて表示制御部２２は、タッチパネル１２に利用者の指が接触している間に検出部２１により検出された指位置に基づき、タッチパネル１２上での当該利用者の指の移動方向を特定する（ＳＡ３）。具体的には、表示制御部２２は、利用者の指がタッチパネル１２から離れる直前の当該利用者の指の移動方向（例えば、検出部２１により最後に指位置が検出される所定時間前に検出部２１により検出された指位置から、検出部２１により最後に検出された指位置までの方向）を、タッチパネル１２上での利用者の指の移動方向として特定する。
【００２９】
次に表示制御部２２は、ＳＡ３で当該表示制御部２２が特定したタッチパネル１２上での利用者の指の移動方向に対応する遷移時間を特定する（ＳＡ４）。ここで「遷移時間」とは、ディスプレイ１１に表示されていた情報に対応する時刻と、フリック操作に基づいて表示制御部２２がディスプレイ１１に表示させるべき情報に対応する時刻との間の時間を意味する。
【００３０】
図４は、利用者の指の移動方向と遷移時間との対応関係を例示した図である。この図４に示すように、表示制御部２２は、ディスプレイ１１に表示されている情報（例えばディスプレイ１１に表示されている文字）を基準とした場合における上方向（例えばディスプレイ１１に表示されている文字の下から上に向かう方向）を第１方向とした場合において、利用者の指の移動方向が第１方向を中心とする±４５°の範囲内である場合、遷移時間が６０分であると特定する。また、利用者の指の移動方向が、タッチパネル１２面内において第１方向から略９０度時計回りに回転させた第２方向を中心とする±４５°の範囲内である場合、遷移時間が１５分であると特定する。また、利用者の指の移動方向が、タッチパネル１２面内において第１方向から略１８０度時計回りに回転させた第３方向を中心とする±４５°の範囲内である場合、遷移時間が３０分であると特定する。また、利用者の指の移動方向が、タッチパネル１２面内において第１方向から略２７０度時計回りに回転させた第４方向を中心とする±４５°の範囲内である場合、遷移時間が４５分であると特定する。
【００３１】
次に表示制御部２２は、ＳＡ２で当該表示制御部２２が特定したフリック操作の起点の位置と、ＳＡ４で当該表示制御部２２が特定した遷移時間とに基づき、ディスプレイ１１に表示させる対象となる情報を特定し、当該特定した情報がディスプレイ１１に表示されるまで、当該ディスプレイ１１に表示されている情報をスクロールさせる（ＳＡ５）。
【００３２】
具体的には、表示制御部２２は、ＳＡ２で当該表示制御部２２が特定したフリック操作の起点の位置に対応する表示対象情報を表示対象テーブル３２から取得し、当該取得した表示対象情報と、ＳＡ４で当該表示制御部２２が特定した遷移時間とに基づき、ディスプレイ１１に表示させる対象となる情報を特定し、当該特定した情報がディスプレイ１１に表示されるまで、当該ディスプレイ１１に表示されている情報をスクロールさせる。
【００３３】
図５はディスプレイ１１に表示される情報を例示した図であり、図５（ａ）はフリック操作が行われる前の状態を示す図、図５（ｂ）はフリック操作に応じてディスプレイ１１に表示されている情報がスクロールされた状態を示す図である。例えば図５（ａ）に示すように、ＳＡ２で表示制御部２２が特定したフリック操作の起点の位置が通常地図（図５（ａ）における左側の地図）における自車アイコン１１ａの表示位置に対応する位置（本実施の形態では自車アイコン１１ａの表示位置と同じ位置）である場合、図２の表示対象テーブル３２によれば、表示制御部２２は対応する表示対象情報として「遷移時間経過時点での車両の予測位置アイコン」を取得する。この場合、表示制御部２２は、フリック操作の起点となった自車アイコン１１ａが示す車両位置に対応する時点（すなわち、自車アイコン１１ａに対応する位置に車両が存在する時点）から、ＳＡ４で特定した遷移時間が経過した時点での、当該車両の予測位置を特定する。例えば、経路探索手段（図示省略）により公知の経路探索手法を用いて走行経路が探索されており、当該走行経路上の地点に対応する位置に表示されている自車アイコン１１ａの表示位置がフリック操作の起点の位置として特定された場合、表示制御部２２は、車両の平均走行速度や渋滞情報等に基づき、車両が走行経路を遷移時間走行した場合における予測到達位置を、「車両の予測位置」として特定する。また、走行経路が探索されていない場合であっても、フリック操作の起点の位置となった自車アイコン１１ａの表示位置が高速道路のように分岐が少ない道路上の地点に対応する位置である場合には、表示制御部２２は、車両の平均走行速度や渋滞情報等に基づき、車両が当該道路を道なりに遷移時間走行した場合における予測到達位置を、「車両の予測位置」として特定する。そして、表示制御部２２は、特定した車両の予測位置を示す自車アイコン１１ａを含む地図がディスプレイ１１に表示されるまで、当該ディスプレイ１１に表示されている情報をスクロールさせる。例えば図５（ａ）に示すように、利用者の指の移動方向（図５（ａ）で矢印で示した方向）が第１方向（図５（ａ）における上方向）を中心とする±４５°の範囲内である場合、図３のＳＡ４において表示制御部２２は遷移時間が６０分であると特定し、図５（ｂ）に示すように、自車アイコン１１ａが示す車両位置に対応する時点から６０分が経過した時点での、当該車両の予測位置を示す自車アイコン１１ａを含む地図がディスプレイ１１に表示されるように、通常地図をスクロールさせる。この場合、表示制御部２２は、通常地図のスクロールに合わせて、高速道路地図（図５（ａ）及び（ｂ）における右側の地図）もスクロールさせる。
【００３４】
また、図６はディスプレイ１１に表示される情報を例示した図であり、図６（ａ）はフリック操作が行われる前の状態を示す図、図６（ｂ）はフリック操作に応じてディスプレイ１１に表示されている情報がスクロールされた状態を示す図である。例えば図６（ａ）に示すように、ＳＡ２で表示制御部２２が特定したフリック操作の起点の位置が通常地図（図６（ａ）に示した地図）における施設アイコン１１ｂの表示位置に対応する位置（本実施の形態では施設アイコン１１ｂの表示位置と同じ位置）である場合、図２の表示対象テーブル３２によれば、表示制御部２２は対応する表示対象情報として「平均車速にて遷移時間走行後の位置近傍に存在する同一属性施設」を取得する。この場合、表示制御部２２は、フリック操作の起点となった施設アイコン１１ｂが示す施設の位置に対応する時点（すなわち、施設アイコン１１ｂに対応する位置から車両が走行開始すると仮定した場合の走行開始時点）から、ＳＡ４で特定した遷移時間が経過した時点に対応する位置（すなわち、施設アイコン１１ｂに対応する位置から任意の道路を所定の平均車速（例えば４０ｋｍ／ｈ等）にて遷移時間走行した場合の予測到達位置）を特定し、当該特定した位置の近傍に存在する施設であって、フリック操作の起点に表示されていた施設アイコン１１ｂが示す属性と同一属性の施設を地図情報ＤＢ３１を参照して特定する。そして、当該特定した施設に対応する施設アイコン１１ｂを含む地図がディスプレイ１１に表示されるまで、当該ディスプレイ１１に表示されている情報をスクロールさせる。例えば図６（ａ）に示すように、ＳＡ２で表示制御部２２が特定したフリック操作の起点の位置がガソリンスタンドを示す施設アイコン１１ｂの表示位置であり、利用者の指の移動方向（図６（ａ）で矢印で示した方向）が第２方向（図６（ａ）における右方向）を中心とする±４５°の範囲内である場合、図３のＳＡ４において表示制御部２２は遷移時間が１５分であると特定し、図６（ｂ）に示すように、フリック操作の起点となった施設アイコン１１ｂに対応するガソリンスタンドから任意の道路を所定の平均車速にて１５分走行した場合の予測到達位置の近傍に存在するガソリンスタンドの施設アイコン１１ｂを含む地図がディスプレイ１１に表示されるように、通常地図をスクロールさせる。
【００３５】
また、図７はディスプレイ１１に表示される情報を例示した図であり、図７（ａ）はフリック操作が行われる前の状態を示す図、図７（ｂ）はフリック操作に応じてディスプレイ１１に表示されている情報がスクロールされた状態を示す図である。例えば図７（ａ）に示すように、ディスプレイ１１の表示が２画面表示となっており、高速道路に関する高速情報を表示する高速道路地図（図７（ａ）における右側の地図）において高速施設（例えばサービスエリア、パーキングエリア、ジャンクション、インターチェンジ、料金所等）を示す施設アイコン１１ｃの表示位置に対応する位置（本実施の形態では施設アイコン１１ｃの表示位置と同じ位置）がフリック操作の起点の位置として特定された場合、図２の表示対象テーブル３２によれば、表示制御部２２は対応する表示対象情報として「平均車速にて遷移時間走行後の位置近傍に存在する同一属性施設」を取得する。この場合、表示制御部２２は、フリック操作の起点となった施設アイコン１１ｃが示す施設の位置に対応する時点（すなわち、施設アイコン１１ｃに対応する位置から車両が走行開始すると仮定した場合の走行開始時点）から、ＳＡ４で特定した遷移時間が経過した時点に対応する位置（すなわち、施設アイコン１１ｃに対応する位置から道路を道なりに所定の平均車速（例えば８０ｋｍ／ｈ等）にて遷移時間走行した場合の予測到達位置）の近傍に存在する施設であって、フリック操作の起点に表示されていた施設アイコン１１ｃが示す属性と同一属性の施設を地図情報ＤＢ３１を参照して特定する。そして、当該特定した施設に対応する施設アイコン１１ｃを含む高速道路地図がディスプレイ１１に表示されるまで、当該ディスプレイ１１に表示されている情報をスクロールさせる。例えば図７（ａ）に示すように、ＳＡ２で表示制御部２２が特定したフリック操作の起点の位置が、高速道路地図においてサービスエリアを示す施設アイコン１１ｃの表示位置であり、利用者の指の移動方向（図７（ａ）で矢印で示した方向）が第３方向（図７（ａ）における下方向）を中心とする±４５°の範囲内である場合、図３のＳＡ４において表示制御部２２は遷移時間が３０分であると特定し、図７（ｂ）に示すように、フリック操作の起点となった施設アイコン１１ｃに対応するサービスエリアから道路を道なりに所定の平均車速にて３０分走行した場合の予測到達位置の近傍に存在するサービスエリアの施設アイコン１１ｃを含む高速道路地図がディスプレイ１１に表示されるように、高速道路地図をスクロールさせる。
【００３６】
なお、ＳＡ２で表示制御部２２が特定したフリック操作の起点の位置が、自車アイコン１１ａ、施設アイコン１１ｂ、又は高速情報を表示する画面において高速施設を示す施設アイコン１１ｃの何れにも該当しない場合（例えば、地図上において自車アイコン１１ａや施設アイコン１１ｂ及び１１ｃが存在しない位置がフリック操作の起点となった場合）、図２の表示対象テーブル３２によれば、表示制御部２２は対応する表示対象情報として「通常のフリックスクロール」を取得する。この場合、表示制御部２２は、例えば、検出部２１により最後に指位置が検出される所定時間前に検出部２１により検出された指位置から、検出部２１により最後に検出された指位置までの距離に基づき、利用者の指の速度ベクトルを特定し、当該速度ベクトルに基づいたベクトルで地図をスクロールさせる。
【００３７】
図３に戻り、ＳＡ５の処理の後、表示制御部２２は、表示制御処理を終了させる旨の指示が入力されたか否かを判定する（ＳＡ６）。例えば、地図のスクロールを行う前の画面（例えば現在位置表示画面等）に戻る旨の指示入力がタッチパネル１２を介して受け付けられた場合や、地図とは異なる画面（例えばメニュー画面等）を表示させる旨の指示入力がタッチパネル１２を介して受け付けられた場合、表示制御部２２は表示制御処理を終了させる旨の指示が入力されたと判定する。
【００３８】
その結果、表示制御処理を終了させる旨の指示が入力されていない場合（ＳＡ６、Ｎｏ）、表示制御部２２はＳＡ１に戻る。以降、ＳＡ６において表示制御処理を終了させる旨の指示が入力されたと判定されるまで、ＳＡ１からＳＡ６の処理を繰り返す。一方、表示制御処理を終了させる旨の指示が入力された場合（ＳＡ６、Ｙｅｓ）、制御部２０は表示制御処理を終了する。
【００３９】
（効果）
このように本実施の形態によれば、表示制御部２２は、タッチパネル１２に利用者の指が接触している間に検出部２１により検出された当該利用者の指の位置に基づき、タッチパネル１２上での利用者の指の移動方向を特定し、当該特定した移動方向に対応する遷移時間を特定し、ディスプレイ１１に表示されている情報に対応する時点から当該特定した遷移時間が経過した時点に関する情報をディスプレイ１１に表示させるので、ディスプレイ１１に表示されている情報に対応する時点から所望の時間が経過した時点に関する情報を、直感的且つ容易な操作に基づいてディスプレイ１１に表示させることができる。
【００４０】
また、表示制御部２２は、自車アイコン１１ａの表示位置に対応する位置を起点として利用者の指がタッチパネル１２上を移動した場合、自車アイコン１１ａが示す車両位置に対応する時点から特定した遷移時間が経過した時点での、車両の予測位置を示す自車アイコン１１ａを含む地図をディスプレイ１１に表示させるので、ディスプレイ１１に表示されている自車アイコン１１ａが示す車両位置に対応する時点から所望の時間が経過した時点での車両の予測位置を示す自車アイコン１１ａを含む地図を、直感的且つ容易な操作に基づいてディスプレイ１１に表示させることができる。
【００４１】
また、表示制御部２２は、施設アイコン１１ｂ又は１１ｃの表示位置に対応する位置を起点として利用者の指がタッチパネル１２上を移動した場合、当該施設アイコン１１ｂ又は１１ｃが示す施設の位置に対応する時点から特定した遷移時間が経過した時点に対応する位置の近傍に存在する施設であって、起点に表示されていた施設アイコン１１ｂ又は１１ｃが示す属性と同一属性の施設に対応する施設アイコン１１ｂ又は１１ｃを含む地図をディスプレイ１１に表示させるので、ディスプレイ１１に表示されている施設アイコン１１ｂ又は１１ｃが示す施設の位置に対応する時点から所望の時間が経過した時点に対応する位置の近傍に存在する、所望の施設を示す施設アイコン１１ｂ又は１１ｃを含む地図を、直感的且つ容易な操作に基づいてディスプレイ１１に表示させることができる。
【００４２】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００４４】
（タッチパネルについて）
上述の実施の形態では、タッチパネル１２が、ディスプレイ１１の前面において当該ディスプレイ１１の表示面と重畳するように設けられていると説明したが、タッチパネル１２をディスプレイ１１の前面とは異なる場所に設置してもよい。この場合、例えばタッチパネル１２における利用者の指の接触位置に対応するカーソルをディスプレイ１１に表示させ、ディスプレイ１１におけるカーソルの位置に基づき、フリック操作の有無の判定（図３のＳＡ１）、フリック操作の起点の特定（図３のＳＡ２）、タッチパネル１２上での利用者の指の移動方向の特定（図３のＳＡ３）を行うようにしてもよい。
【００４５】
（表示制御処理について）
上述の実施の形態では、図３の表示制御処理において、利用者の指の移動方向が第１方向を中心とする±４５°の範囲内である場合に遷移時間が６０分であると特定し、利用者の指の移動方向が第２方向を中心とする±４５°の範囲内である場合に遷移時間が１５分であると特定し、利用者の指の移動方向が第３方向を中心とする±４５°の範囲内である場合に遷移時間が３０分であると特定し、利用者の指の移動方向が第４方向を中心とする±４５°の範囲内である場合に遷移時間が４５分であると特定する場合を例として説明したが、これとは異なる基準に基づき、タッチパネル１２上での利用者の指の移動方向に対応する遷移時間を特定するようにしてもよい。例えば、ディスプレイ１１に表示されている情報（例えばディスプレイ１１に表示されている文字）を基準とした場合における上方向（例えばディスプレイ１１に表示されている文字の下から上に向かう方向）を第１方向とした場合において、利用者の指の移動方向が第１方向を中心とする±６０°の範囲内である場合、遷移時間が６０分であると特定し、利用者の指の移動方向が、タッチパネル１２面内において第１方向から略１２０度時計回りに回転させた第２方向を中心とする±６０°の範囲内である場合、遷移時間が２０分であると特定し、利用者の指の移動方向が、タッチパネル１２面内において第１方向から略２４０度時計回りに回転させた第３方向を中心とする±６０°の範囲内である場合、遷移時間が４０分であると特定するようにしてもよい。
【符号の説明】
【００４６】
１  表示装置
１０  タッチパネルモニタ
１１  ディスプレイ
１１ａ  自車アイコン
１１ｂ、１１ｃ  施設アイコン
１２  タッチパネル
２０  制御部
２１  検出部
２２  表示制御部
３０  データ記録部
３１  地図情報ＤＢ
３２  表示対象テーブル
【図１】
2012207930.tif 000003
【図２】
2012207930.tif 000004
【図３】
2012207930.tif 000005
【図４】
2012207930.tif 000006
【図５】
2012207930.tif 000007
【図６】
2012207930.tif 000008
【図７】
2012207930.tif 000009